(57)【特許請求の範囲】
【請求項１】
一体に組み立てられて種々の三次元構造体を形成することができる少なくとも２つの異なる形式の複数個の素子を有している組立玩具にして、前記素子は、
複数個の平坦な側面を有している構築ブロックの形をしていてプラスチック材料から作られたメイン素子であって、前記側面のうちの少なくとも１つは溝を有しており、該溝は口部を有している前記メイン素子と、
Ｎを６より小さくない整数としたときに２Ｎ個の尖った突起を有し、横断面が星形でプラスチック材料から作られた細長い接続素子とを含んでおり、
前記突起のそれぞれは、前記接続素子の半径方向外方へ突出して該接続素子の軸線と平行に延び、該接続素子の周方向にみたときに該接続素子の全周に亘って互いに等間隔に配列されていて、各突起の先端が該接続素子の中心軸線を中心とする円上に位置しており、
また、前記溝は、前記接続素子を受け入れて該接続素子と摺動嵌合するとともに、前記接続素子のいずれのＮ個の隣接する突起とも摺動嵌合し得る形状になっており、
前記突起のうちのいずれのＮ個の隣接する突起が前記溝に嵌合した場合にも、他のＮ個の突起が前記溝の外側に位置されるようになっている組立玩具。
【請求項２】
各接続素子は中空である請求項１に記載の組立玩具。
【請求項３】
各接続素子の両端にはわずかにテーパが付されている請求項１または請求項２に記載の組立玩具。
【請求項４】
各メイン素子は実質上平坦な平行をなす第１及び第２の端部を有しており、該第１及び第２の端部は前記側面により互いに接続されている請求項１から請求項３までのいずれか１項に記載の組立玩具。
【請求項５】
前記側面の各々は前記端部に対して直角に延在している請求項４に記載の組立玩具。
【請求項６】
各前記メイン素子の、前記側面に直角をなす断面は正多角形の形をしている請求項１から請求項５までのいずれか１項に記載の組立玩具。
【請求項７】
いくつかのメイン素子の断面は三角形である請求項６に記載の組立玩具。
【請求項８】
いくつかのメイン素子の断面は三角形であり、また他のいくつかのメイン素子の断面は四角形である請求項６に記載の組立玩具。
【請求項９】
各メイン素子はその素子の中へ延びる少なくとも１つの開口を有しており、該開口の軸線は前記溝の長手方向軸線に平行をなしており、前記開口は断面形状が前記接続素子の断面形状と同様のものであるか、あるいは、円筒状のいずれかであり、円筒状である場合の直径は、前記接続素子がその円筒状の開口に緊密に摺動嵌合するようになっている請求項１から請求項８までのいずれか１項に記載の組立玩具。
【請求項１０】
前記円筒状の開口の軸線は前記メイン素子の中心軸線に一致している請求項９に記載の組立玩具。
【請求項１１】
前記メイン素子は全て中空であり、前記平坦な端部のうちの一方は封鎖されており、他方は開いている請求項１から１０までのいずれか１項に記載の組立玩具。
【請求項１２】
副次接続素子を更に含んでおり、該副次接続素子は、完全な接続素子を一平面によって半体に分割した形状の半体接続素子を有しており、前記一平面が、完全な接続素子の星形断面の、互いに反対側にある各一対の隣接する尖った突起の間の夾角を２等分して該完全な接続素子の長手方向に延びる平面である請求項１から１１までのいずれか１項に記載の組立玩具。
【請求項１３】
前記副次接続素子は２つの半体接続素子を有しており、該２つの半体接続素子はそれらのそれぞれの平坦な側部のそれぞれの中間点で一体に接合されているとともに互いに９０°をなして延在している請求項１２に記載の組立玩具。
【請求項１４】
前記副次接続素子は１つの半体接続素子と該１つの半体接続素子に一体に接合された完全接続素子とを有しており、該完全接続素子は、該１つの半体接続素子の平坦な側部の中間点から垂直に延在している請求項１２に記載の組立玩具。
【請求項１５】
副次接続素子を更に含んでおり、前記副次接続素子はそれぞれが完全な接続素子からなる４つの接続素子を有しており、該４つの接続素子は、それらの端部のところで一体に接続されているとともに、共通する平面内で互いに直角をなして延在していて十字を形成している請求項１から１１までのいずれか１項に記載の組立玩具。
【発明の詳細な説明】
この発明は組立玩具に係わり、より具体的には、英国特許明細書第２２２４９５３号及び第２２７１２９７号に開示されている種類の組立玩具の改良に関する。
前述した英国特許明細書の両方に開示されている組立玩具は、平坦な側面を有している断面四角形の、また、断面三角形のブロックの形をしたメイン構築素子を有しており、それらブロックは接続素子により、側部と側部とが面した状態で一体に接合されており、接続素子は溝内を摺動し、溝はブロックの側面に設けられている。前述した英国特許明細書の前者では、接続素子は二重のありみぞ形状の断面をしており、また、各溝は断面がありみぞ形状をしており、一方、後者においては、接続素子は断面が対称の４つの尖った星形状をしており、各溝の断面は、接続素子の星形断面の２つの互いに隣接したポイントを受容するよう形状決めされている。
接続素子の断面形状により、後者の特許明細書の組立玩具は、メイン構築素子をより多くの相対的向きで接続素子に接続することができる点で前者の明細書の組立玩具よりもより可変性である。しかし、メイン構築素子と接続素子との間で簡単な、しかし、相当に緊密な接続を達成するためには、それら素子を極めて緊密な寸法公差に製造、即ち、成形しなければならず、このことは困難であり得、及び／または、高価でもあり得る。また、接続素子は、素子を一体に接続する際、メイン構築素子の溝に正確に整合することが必要であり、このことは幼い子供達にとっては困難で有り得る。本発明の目的は、これら困難性の１つあるいはそれ以上を軽減することである。
本発明によれば、少なくとも２つの異なる形式の複数個の素子を有しており、複数個の素子は一体に組み立てられて様々な三次元構造体を形成することができ、前記素子は、
複数の平坦な側面を有している構築ブロックの形をしたメイン素子であって、前記側面のうちの少なくとも１つは溝を有しており、該溝は口部を有していてプラスチック材料から作られたメイン素子と、Ｎを６より小さくない整数としたときに２Ｎポイント（即ち２Ｎ個の尖った突起）を有し、横断面が星形でプラスチック材料から作られた細長い接続素子とを含んでおり、前記突起のそれぞれは、前記接続素子の半径方向外方へ突出して該接続素子の軸線と平行に延び、該接続素子の周方向にみたときに該接続素子の全周に亘って互いに等間隔に配列されていて、各突起の先端が該接続素子の中心軸線を中心とする円上に位置しており、また、前記溝は、前記接続素子を受け入れて該接続素子と摺動嵌合するとともに、前記接続素子のいずれのＮ隣接ポイント（すなわちＮ個の隣接する突起）とも摺動嵌合し得る形状になっており、前記突起のうちのいずれのＮ個の隣接する突起が前記溝に嵌合した場合にも、他のＮ隣接ポイント（すなわち他のＮ個の隣接する突起）が前記溝の外側に位置されるようになっている組立玩具が得られる。
有利なことには、各接続素子の反対側両端にはわずかにテーパが付されており、及び／または、各メイン素子における溝の端部にはわずかにフレアが付されている（即ち、溝のメイン部に対して断面積が斬進的に増加している）。
本発明の前述した特徴の各々はメイン素子の溝内への接続素子の挿入を容易ならしめることに寄与しており、及び／または、素子を作り出すのに用いられる製造方法、代表的な場合、鋳型における次元公差に対する要求を低くしている。
各溝の断面は、接続素子の星形断面のＮ隣接ポイントの断面形状に実質的に相補形であるよう形付けられている。即ち、各溝は、前記接続素子のいずれのＮ個の隣接する突起とも嵌合し得る形状になっている。
便利なことには、各メイン素子は第１及び第２の実質的に平坦で平行な端部を有しており、該端部は前記側面により互いに接続されている。更に、好ましくは、前記側面の各々は前記端部に対して直角に延在している。
好ましくは、各メイン素子の、前記側面に直角な断面は、矩形形状、あるいは、正多角形の形をしており、後者の場合、いくつかのメイン素子は断面が三角形であってもよく、あるものは四角形であってもよく、あるものは六角形であってもよい。
メイン素子及び接続素子は複数個の高さで作られていてもよく、それらのうちより大きな高さは、便利なことには、最も小さい高さの整数倍である。
三角形の、四角形の、そして、六角形のメイン素子の前記側面は、好ましくは、全て同じ幅のものである。
各メイン素子は少なくとも１つの円筒状開口を有しており、該円筒状開口は、それの軸線が溝の長手方向軸線に対して平行をなして延在しており、前記開口の直径は、前記接続素子がそれに緊密に摺動嵌合するようになっている。
三角形の、四角形の、そして、六角形のメイン素子において、好ましくは、円筒状開口の軸線は素子の中心軸線に一致している。
本発明の好適実施例では、メイン素子は全て中空であり、前記平坦な端部のうちの１つは閉じられており、他のものは開かれている。
有利なことには、玩具はいくつかの異なる、より精巧な副次接続素子のうちの少なくとも１つを含んでいる。各副次接続素子は、完全な接続素子を一平面によって半体に分割した形状の半体接続素子を有しており、前記一平面は、完全な接続素子の星形断面の、互いに反対側にある各一対の隣接する尖った突起の間の夾角を２等分して該完全な接続素子の長手方向に延びる平面である。副次接続素子が２つの半体接続素子を有し、該２つの半体接続素子がそれらのそれぞれの平坦な側部のそれぞれの中間点で一体に結合されているとともに互いに９０°をなして延在するようにしてもよい。また、副次接続素子が１つの半体接続素子と該１つの半体接続素子に一体に結合された完全な接続素子とを有し、完全な接続素子が該１つの半体接続素子の平坦な側部の中間点から垂直に延在するようにしてもよい。副次接続素子が、それぞれが完全な接続素子からなる４つの接続素子を有し、該４つの接続素子がそれらの端部で一体に接続されるとともに共通した平面内で互いに直角をなして延在していて十字を形成するようにしてもよい。
好ましくは、素子の全ては適宜のプラスチック材料、例えば、ＡＢＳ、アクリルプラスチック、ポリスチレンあるいはポリプロピレンで成型されている。
あるいは、素子の全ては、発泡ポリエチレンのごとき適宜のプラスチック発泡材料から作られていてもよく、代表的な場合、かような材料の大きなシートからそれらを切断することにより作られていてもよく、この場合、それら素子は中空であるよりもむしろ中実であってもよい。
さて、添付図面を参照して本発明を単なる例としてのみ説明する。それら図面において、
図１Ａから図１Ｃは、本発明に従った組立玩具の第１の実施例の一部を構成する三角形メイン構築エレメントのそれぞれ頂面図、底面図及び側面図であり、
図２Ａから図２Ｃは、図１の本発明の実施例の別の部分を構成する四角形のメイン構築素子のそれぞれ頂面図、底面図及び側面図であり、
図３は、図１及び図２のメイン構築素子と共に用いるための接続素子の断面図であり、
図４は、図３の接続素子の拡大断面図であり、
図５は、本発明に従った組立玩具のための代替接続素子の断面図であり、
図６Ａ及び図６Ｂは、図３及び図４の接続素子の改良されたバージョンのそれぞれ頂面図及び側面図であり、
図７は、基本的に図１から図５のものと同様の一体に接続された接続素子及び複数個のメイン構築素子を示しており、
図８は、図６と同様の図であるが、メイン構築素子及び接続素子のわずかに修正されたバージョンを示しており、
図９Ａから図９Ｃは、図１から図４の組立玩具の一部を構成することができる円形メイン構築素子の頂面図、底面図及び側面図であり、
図１０Ａから図１０Ｃは、本発明に従った組立玩具の一部を構成する第１の副次接続素子のいくつかの異なる図を示しており、
図１１Ａから図１１Ｃは、本発明に従った組立玩具の一部を構成する第２の副次接続素子のいくつかの異なる図を示しており、
図１２Ａから図１２Ｃは、本発明に従った組立玩具の一部を構成する第３の副次接続素子のいくつかの異なる図を示しており、
図１３Ａ及び図１３Ｂは、本発明に従った四角形のメイン構築素子の代替形態のそれぞれ頂面図及び底面図であり、
図１４は、図６の接続素子の修正バージョンの頂面図である。
図１から図４の組立玩具は前述した英国特許明細書第２２７１２９７号の組立玩具と、多くの点で同様のものである。特に、また、英国特許明細書第２２７１２９７号に記載されている通り、玩具は中空の断面三角形及び断面四角形の構築ブロック１２、１４を有しており、該構築ブロック１２、１４は３つあるいは４つの同じ矩形側面１６を有しており、該矩形側面１６の各々は実質的に三角形あるいは四角形の平坦な頂端１８及び底端１９間にそれぞれ延在している。頂端１８は平坦であるとともに実質的に塞がれており、一方、底端１９は開いている。側面１６の各々は同じ溝２０を備えており、該溝２０は側面の中間部沿って頂端及び底端１８、１９の間に直角に延在している。しかし、２５ｍｍの縁部を有する代わりに、ブロック１２、１４は３０ｍｍの縁部を有しており、この寸法の増加により、若い子供達に対して安全性が増される。何故なら、ブロックは飲み込み難くなるからである。
英国特許明細書第２２７１２９７号にも記載されている通り、本発明の組立玩具は、ＡＢＳ、アクリルプラスチック、ポリスチレンあるいはポリプロピレンのごとき適宜のプラスチック材料で、好ましくは異なる色に鋳型された複数個のブロック１２、１４の各々を有しており、該ブロック１２、１４は、同じプラスチック材料で鋳型された細長い接続素子により、一体に接合されていて、非常に様様な興味を感じさせる及び／または目視的に興味をそそる三次元構造体を形成することができる。それはこれら接続素子の断面形状であり、また、溝２０の断面形状であり、その溝にこれら接続素子が長手方向に摺動嵌合しており、このことは、本発明の組立玩具と英国特許明細書第２２７１２９７号の組立玩具との間の基本的な差異のうちの１つを構成している。
かくて、図３及び図４において３０で示されている本発明の接続素子は長さ３０ｍｍであり、また、断面が対称の１２個の尖った星の形状をしている。それに対応して、メイン構築ブロック１２、１４の溝２０は各々接続素子３０の星形断面の６個の隣接したポイントの断面形状に断面が実質的に相補であるよう、言い換えれば、互いに対向した複数対の隣接したポイント間の角度を二等分する平面によって画成されるごとく、接続素子の断面形状の半分に形状決めされている。
図３で最も良く理解される通り、接続素子３０は、また、３２で示された中空内部も有している。これら中空内部３２の各々の断面形状は接続素子の外部の１２個の尖った星形状に対応するよう形状決めされている。
接続素子３０の断面形状に対して１２個の星形ポイントが存在するので、個々のポイントはより細く、それ故、４つの星形ポイントのみの場合よりもより可撓性である。この増加した可撓性は、接続素子３０が中空であり、それらの中空内部３２が接続素子の外部形状に対応して形状決めされており、それにより、接続素子がわずかに押しつぶすことができるようにされていることにより更に強化されている。その結果、メイン構築ブロック１２、１４の溝を鋳型する際の寸法公差、及び、接続素子３０を成型する際の寸法公差は４つの星形ポイントのみでもってした場合のごとく事実上要求されるものでない。何故なら、星形ポイントは撓むことができ、及び／または、わずかに押しつぶされてわずかな寸法上のミスマッチを順応させることができるからである。この順応性は、接続素子３０の断面形状の星形ポイント間の樋に対応する溝２０の部分の頂点を裁頭することにより、更に助けることができる。
接続素子３０の中空内部３２の代替形状は図５に示されており、断面は尚１２個で尖っているが、面積は減少されており、それにより、接続素子は可撓性がわずかに少なく、また、図３及び図４の接続素子よりも押しつぶすことができるようになっているが、それにもかかわらず、曲げに対してはわずかに抵抗性がある一方、利益の多くは保っている。
接続素子３０の断面の１２個の尖った星形形状の付加的な利益は、素子が増された数の、即ち、１２個の異なる向きでメイン構築ブロック１２、１４の溝２０に挿入することができることであり、その増された数の異なる向きにより、挿入の容易さ、特に若い子供達の場合の挿入の容易さが高められる。この挿入の容易さは、各接続素子３０の両端にわずかにテーパを付すことにより、及び／または、メイン構築ブロック１２、１４の各溝２０の両端にわずかにフレアを付すことにより（言い換えれば、各溝の両端の断面区域を徐々に増加させることにより）、更に高めることができる。接続素子３０のテーパの付された両端は図６Ａ及び図６Ｂで３３により示されており、（そこでは、中空内部３２は、単純にするため断面が円形であるとして示されている）。
接続素子の断面の１２個の尖った星形の更に別の利点は、それが歯車として作用することができることであり、代表的な場合、メイン構築ブロック１２あるいは１４の溝から突出しているそれの長さの一部分がこの機能を与えている。
図７は複数個の三角形の及び四角形のメイン構築素子１２、１４を示しており、それら複数個の三角形の及び四角形のメイン構築素子１２、１４は接続素子３０により一体に接続されていてより大きな幾何学形状を形成している。形成することができる抽象的且つ表現的の両方である様々なかような形状は単に巨大であるに過ぎない。再び、接続素子３０の中空内部３２は、簡単にするため断面が円形であるとして示されている。
図１から図５の接続素子３０は１２個の星形ポイントと、対応して形状決めされ、共軸線関係をなして配備された中空内部３２とを有している。図８の代りの実施例では、３４で示された接続素子の断面は対称をなす８個の尖らされた星の形をしている。メイン構築ブロック１２、１４の溝２０はそれに対応して修正されている。再び、接続素子３４は３６で示された中空内部を有しており、中空内部３６の断面は接続素子の外部の８個の尖らされた星形形状に対応して形状決めされている。その結果、接続素子３４は再び可撓性であるとともにわずかに押しつぶすことができるようになっており、このことは、メイン構築ブロック１２、１４及び接続素子３４が製造されなければならない、言い換えれば、成型されねばならない寸法公差を再び緩和させる。しかし、接続素子３４は、接続素子３０と同じように、歯車として尚用いることができる。
本発明の記載された実施例には多くの修正をなすことが可能である。
例えば、接続素子はいずれかのより大きい偶数個の星形ポイントを有することができるが、１２個の星形ポイントは、現在最も優れた結果を与えると思われる。
更に、三角形及び四角形のブロック１２及び１４に加えて、メイン構築ブロックに、例えば、矩形形状及び六角形のごとき他の形状を与えることも可能であり、また、メイン構築ブロックのあるもの、あるいは、全ては円筒状の開口を備えることができ、この円筒状の開口は溝２０に平行に、それらを完全に、あるいは、部分的に貫通して延在しているとともに、英国特許明細書第２２７１２９７号に概ね記載されている通り、その円筒状の開口は緊密な摺動嵌合として接続素子３０あるいは３４を受容するよう寸法決めされている。このような開口は図２において２４で、また、図９において４０で示されており、その図９は更に別のメイン構築素子を４２で示している。
かくて、図９のメイン構築素子４２は、図１及び図２の三角形及び四角形のブロック１２及び１４と同じ高さ、言い換えれば３０ｍｍの大きな円筒状をしている。円筒状素子４２はそれの外面に６個の等間隔に離隔された溝４４を有しており、該溝４４はそれの軸線と平行に延在しているとともに１２個の尖らされた接続素子３０又は３４を受容するよう形状決めされている。それも開口４０のうちの７個、即ち、１つはそれと共軸線関係をなし、６個はそれの周部のまわりの、しかし、周部のすぐ内側の等間隔に離隔されている計７個の開口４０を有しており、また、溝４４間にはさみ込まれている。
円筒状である代わりに、必要に応じ、開口２４及び４０の断面は接続素子３０又は３４に実質状相補関係をなすことができる。
加えて、本発明の組立玩具は英国特許明細書第２２７１２９７号に記載されているものと類似の副次接続素子を含むことができる。図８の８個の尖った接続素子に基づいて、このような副次接続素子の３つの異なる種類が、それぞれ図１０乃至図１２に示されている。かくて、図１０において、副次接続素子は５０で示されており、また、２つの半体接続素子５２、５４を有しており、半体接続素子５２、５４はそれらの平坦な側部で一体に接合されているとともに互いに直角をなして延在している。図１１において、副次接続素子は６０で示されているとともに、半体接続素子６２を有しており、半体接続素子６２は、それの平坦な側部の中間点から直角に突出している完全接続素子６４を有している。図１２において、副次接続素子は７０で示されているとともに、４つの完全接続素子７２を有しており、この４つの完全接続素子７２は一端で互いに接続されているとともに十字を形成する共通した平面内で互いに直角に延在している。
特に非常に若い子供達に適した別の修正例では、三角形の及び四角形のブロック１２及び１４及び接続素子３０は大きくされており、代表的な場合、各縁部に沿って約６ｃｍであり、また、発泡ポリエチレンのごとき適宜のプラスチック泡沫材料の（中空ブロックよりもむしろ）中実ブロックとして作られている。この結果、重量が非常に軽い、うまく画成された形状を保持するという点で全く剛体であるが、わずかに降伏するものであり、即ち、押しつぶすことができるブロックとなる。ブロック及び接続素子は固有としてわずかに押しつぶすことができるので、代表的な場合、断面で６個尖らすことができる接続素子は中空である必要がなく、それらの固有の押しつぶすことができる性質により同じ結果が達成される。この玩具のバージョンは風呂内でさえも遊ぶことができる。何故なら、ブロック及び接続素子は浮くほどに十分軽いからであり、また、ブロックの軽さ及び押しつぶすことができる性質により、非常に若い子供達が、それらで遊ぶ際、仮にそれら子供達がブロックを投げ散らかしても、お互い傷つけ合う見込みはほとんど確実にない。代表的な場合、この形式の玩具のブロック及び接続素子は、プラスチック泡沫材料のシートからそれらを切断することにより作られており、シートは、必要に応じ、互いに加熱接合された異なる色の２枚のシートから形成することができ、もって、２色で色付けされたブロック及び接続素子を作り出し、また、感銘を与える色コントラストを示すモデル及び他の構造体が作り出されるのが可能にしている。
図１３Ａ及び図１３Ｂに示される更に別の修正例では、４角形の構築ブロック１４は４つの直立するピプ（pip）８０を有することにより修正されており、４つの直立するピプ８０は構築ブロック１４の上面に成型されており（図１３Ａ参照）、これらのピプは、ブロックが、組み立て玩具、例えば、商標レゴ（LEGO）あるいはデュプロ（DUPLO）で入手可能な玩具の他の幅広く入手可能なブランドの対応するブロックに相互に嵌合するのを可能にするよう形状決め、寸法決め及び位置決めされている。修正されたブロック１４の中空の下側は多数のリブ８２（図１３Ｂ参照）を備えており、多数のリブ８２は同様の修正されたブロック１４のピプ８０に係合するよう形状決め、寸法決め及び位置決めされている。必要に応じ、接続素子３０、３４の両端も、ピプ８０と同様のピプを備えることができる。
加えて、図１３の修正されたブロックの中央開口２４は、円筒状であるか、あるいは、断面が接続素子３０あるいは３４に完全に相補するもののいずれかに代わって、６個の角方向に等しく離隔された溝８４を有しており、溝８４の各々は接続素子の星形断面の２つの隣接した星形ポイントを受容するべく十分に幅広くなっている。これにより、接続素子３０あるいは３４の挿入がより若い子供達にとってより容易となっており、また、接続素子の星形ポイントに対してより多い余裕が与えられていて柔軟になっている。
図１３の修正されたブロック１４に組み込まれている別の修正例は、図１０から図１２に関連して述べた半体接続素子５２、５４と同様の一体成形された半体接続素子８６を溝２０のうちの１つと交換させたものである。この修正例も矩形ブロック１２に適用することができ、また、ブロック間の少なくともある接続を、接続素子３０あるいは３４を用いることなく可能にしている。
図１４は図６の接続素子３４の修正されたバージョンを示しており、１２個の歯のうちの１つを有している素子の断面部分は全体が省略されており、かくて断面を概ねＣ字形にしている。これは、接続素子をより可撓性で且つ押しつぶすことができるものとする効果を有しており、従って若い子供達にとって更に使い易くしている。
最後に、本発明の組立玩具はプラスチック材料で成型される必要はない。木で作られていてもよいし、（押し出されたアルミニュームのごとき）金属で作られていてもよいし、（代表的には、セラミックタイルの形をした）セラミック、あるいは、コンクリートで作られていてもよい。あるいは、目先の変わった目的で、又は、宣伝の目的で、チョコレート、石鹸、アイス、ペーストあるいはゼリーからでさえも玩具を成型することができる。
【図１Ａ】
0003872816.tif 000002
【図１Ｂ】
0003872816.tif 000003
【図１Ｃ】
0003872816.tif 000004
【図２Ａ】
0003872816.tif 000005
【図２Ｂ】
0003872816.tif 000006
【図２Ｃ】
0003872816.tif 000007
【図３】
0003872816.tif 000008
【図５】
0003872816.tif 000009
【図４】
0003872816.tif 000010
【図６Ａ】
0003872816.tif 000011
【図６Ｂ】
0003872816.tif 000012
【図７】
0003872816.tif 000013
【図８】
0003872816.tif 000014
【図９Ａ】
0003872816.tif 000015
【図９Ｂ】
0003872816.tif 000016
【図９Ｃ】
0003872816.tif 000017
【図１０Ａ】
0003872816.tif 000018
【図１０Ｂ】
0003872816.tif 000019
【図１０Ｃ】
0003872816.tif 000020
【図１１Ａ】
0003872816.tif 000021
【図１１Ｂ】
0003872816.tif 000022
【図１１Ｃ】
0003872816.tif 000023
【図１２Ａ】
0003872816.tif 000024
【図１２Ｂ】
0003872816.tif 000025
【図１２Ｃ】
0003872816.tif 000026
【図１３Ａ】
0003872816.tif 000027
【図１３Ｂ】
0003872816.tif 000028
【図１４】
0003872816.tif 000029